(57)【特許請求の範囲】
【請求項１】
上段ケースと下段ケースにより構成され、上段ケースを上下動させることにより名刺を突出させる名刺入れケースで、上段ケースは、名刺を入れる名刺ケース本体と、前方に名刺を押し出す連結部を具備した押出板と、押出板を後方に移動するバネとを設けると共に、下段ケースには、上段ケースを下げることにより下方へ移動しながら前方へ移動する移動具に、上記連結部に連結し、前方へ作動する作動部を具備してなることを特徴とする置式名刺入れケース。
【請求項２】
上段ケースの上段ケース本体の底面に通孔を穿設し、その上方に押出板を設け、通孔位置に、連結部がくるように構成してなることを特徴とする請求項１記載の置式名刺入れケース。
【請求項３】
連結部が、連通孔であることを特徴とする請求項１又は２記載の置式名刺入れケース。
【請求項４】
下段ケースの下段ケース本体内に、移動具の移動体を斜状に移動させる斜状面を形成した支持部を形設してなることを特徴とする請求項１、２又は３記載の置式名刺入れケース。
【請求項５】
移動具の移動体の下面を支持部の斜状面に対応すべく斜状に形成してなることを特徴とする請求項４記載の置式名刺入れケース。
【請求項６】
支持部に、移動具の移動体を止めるストッパーを設けてなることを特徴とする請求項４又は５記載の置式名刺入れケース。
【請求項７】
移動具の作動部が連結ピンと引張りスプリングより構成してなることを特徴とする請求項１、２、３、４、５又は６記載の置式名刺入れケース。
【請求項８】
上段ケースと下段ケースを着脱自在に分離できることを特徴とする請求項１、２、３、４、５、６又は７記載の置式名刺入れケース。
【請求項９】
下段ケースと移動具を着脱自在に分離できることを特徴とする請求項１、２、３、４、５、６、７又は８記載の置式名刺入れケース。
【請求項１０】
上段ケースの上段ケース本体に名刺の残量をチエックするチエック孔を設けたことを特徴とする請求項１、２、３、４、５、６、７、８又は９記載の置式名刺入れケース。
【請求項１１】
名刺の上面にウエイト板を設けてなることを特徴とする請求項１、２、３、４、５、６、７、８、９又は１０記載の置式名刺入れケース。
【発明の詳細な説明】
【技術分野】
【０００１】  本発明は、上段ケースを押し上げることにより、名刺を１枚づつ取り出せるように構成した置式名刺入れケースに関するものである。【０００２】  従来の技術としては、箱の天板と蓋とにより名刺取出口が形成されているとともに、該蓋に名刺を押し出す名刺押出穴が穿設されている名刺入れがある。（特許文献１参照）【０００３】  また、別の従来技術としては、直方体に形成されたケース部と、前記ケース部と一体に形成された蓋部が設けられた名刺入れにおいて、前記ケース部の前面側立上壁を切欠いて開口部を形成すると共にこの開口部に沿って摺動可能に名刺の取出機構部が取り付けられ、前記ケース部の後ろ面側立上壁の内側に名刺の押しバネが取り付けられていることを特徴とする名刺入れがある。（特許文献２参照）
【先行技術文献】
【特許文献】
【０００４】
【特許文献１】実開昭６３−１８５６２４号公報
【特許文献２】特開２００１−２６１０７９号公報
【発明の概要】
【発明が解決しようとする課題】
【０００５】  上記前者においては、蓋に名刺を押し出す名刺押出穴が穿設してなるもので、第３図にあるように名刺押出穴を上面にし、名刺を押し出すもので、相手に押し出し方が見えてしまいオシャレではない。
また、携帯用であり事務所のテーブル等に置いて使用できるものではない。
さらに、同時に２枚出てくる可能性もある。【０００６】  上記後者においては、蓋部を開閉することにより開口部の位置がズレてしまい名刺がうまく出なくなる可能性がある。
これもまた、携帯用であり事務所のテーブル等に置いて使用できるものではない。【０００７】  上段ケースと下段ケースの構成により、事務所のテーブル等に置いて使用するもので上段ケースを上下動させることにより、名刺を１枚づつ突出させることができ、スマートに名刺をお客様に差し出すことのできる置式名刺入れケースを提供することを目的とする。
【課題を解決するための手段】
【０００８】
本発明は、上記目的を達成するために、上段ケースと下段ケースにより構成され、上段ケースを上下動させることにより名刺を突出させる名刺入れケースで、上段ケースは、名刺を入れる名刺ケース本体と、前方に名刺を押し出す連結部を具備した押出板と、押出板を後方に移動するバネとを設けると共に、下段ケースには、上段ケースを下げることにより下方へ移動しながら前方へ移動する移動具に、上記連結部に連結し、前方へ作動する作動部を具備してなること。
上段ケースの上段ケース本体の底面に通孔を穿設し、その上方に押出板を設け通孔位置に、連結部がくるように構成してなること。連結部が、連通孔であること。下段ケースの下段ケース本体内に、移動具の移動体を斜状に移動させる斜状面を形成した支持部を形設してなること。移動具の移動体の下面を支持部の斜状面に対応すべく斜状に形成してなること。支持部に、移動具の移動体を止めるストッパーを設けてなること。移動具の作動部が連結ピンと引張りスプリングより構成してなること。上段ケースと下段ケースを着脱自在に分離できる。下段ケースと移動具を着脱自在に分離できる。上段ケースの上段ケース本体に名刺の残量をチエックするチエック孔を設け、名刺の上面にウエイト板を設けてなる。
【発明の効果】
【０００９】１）、上段ケースと下段ケースにより構成され、上段ケースを上下動させることにより名      刺を突出することができる。
２）、連結部を具備した押出板と作動部を具備した移動具により着脱自在に連結でき、上      段ケースと下段ケースを分離することができ、メンテナンスが楽にできる。
３）、連結部を連通孔とし、作動部を連結ピンとすることにより、簡単に連結できる。
４）、移動具の下面を斜状にし、斜状面を形成した支持部により、スムーズに移動が可能      となる。
５）、引張りスプリング（押上げスプリング）により、上段ケースを上方へ戻す（定位置      ）ことができる。
６）、孔から指をいれ、移動具を簡単に下段ケースより取り外すことができ、メンテナン      スが容易にできる。
７）、チェック孔により、名刺の残量が一目で分かる。
８）、ウエイト板により、自分の名刺と頂いた名刺の境が明確になり、合わせて、チェッ      ク孔より名刺の残量が分かる。
【図面の簡単な説明】
【００１０】
【図１】  本発明の一実施例を示す置式名刺入れケースの上段ケースの蓋を除いた平面図。
【図２】  本発明の一実施例を示す置式名刺入れケースの上段ケースの縦断正面図。
【図３】  本発明の一実施例を示す置式名刺入れケースの上段ケースの底面図。
【図４】  本発明の一実施例を示す置式名刺入れケースの上段ケースの縦断右側面図。
【図５】  本発明の一実施例を示す置式名刺入れケースの下段ケースの平面図。
【図６】  本発明の一実施例を示す置式名刺入れケースの下段ケースの横断平面図。
【図７】  本発明の一実施例を示す置式名刺入れケースの下段ケースの一部縦断面図。
【図８】  本発明の一実施例を示す置式名刺入れケースの下段ケースの移動体を除いた一部縦断面図。
【図９】  本発明の一実施例を示す置式名刺入れケースの下段ケースの縦段右側面図。
【図１０】  本発明の一実施例を示す置式名刺入れケースの連結前の斜視図。
【図１１】  本発明の一実施例を示す置式名刺入れケースの斜視図。
【図１２】  本発明の一実施例を示す置式名刺入れケースの縦断右側面図。
【図１３】  本発明の一実施例を示す置式名刺入れケースの第１使用状態図。
【図１４】  本発明の一実施例を示す置式名刺入れケースの第２使用状態図。
【図１５】  本発明の一実施例を示す置式名刺入れケースの第３使用状態図。
【発明を実施するための形態】
【００１１】  １は、上段ケースである。
２は、名刺を入れる上段ケース本体で、後板２ａの両側に、下方に向かうほど肉厚に形成してなる斜状の名刺整列部２ｂを設けてあり、前板２ｃの下端に名刺突出口２ｄを形成すると共に、中央にチェック孔２ｃ１（名刺案内板２ｅを貫通する）を穿設し、内側に下端を斜状にカットした名刺案内板２ｅを設けてある。
また、底面２ｆに後述する連結部に対応（同一位置）する通孔２ｇ中央付近に穿設してある。
３は、連通孔３ａ１を設けた四角形状の連結部３ａを設けると共に、後端中央部に名刺  の厚みより適宜薄い押出片３ｂを設けてある押出板である。
４は、押出板３の連結部３ａに固定してなる山形のバネで、押出板３の下面に設けた通  孔５ａを有する保持板５と底板２ｆ間の空間に設け、両端を固定し、押出板３（連結部  ３ａ）を前後に移動させることができる。
６は、上段ケース本体２の上面に設けてなる蓋である。（図１から図４）
【００１２】  ７は、下段ケースで、下段ケース本体７ａの底板７ｂの中央に後述する移動具を指で押し上げて取り外すための孔７ｂを設けてある。
８は、上段ケース１を下げることにより下方へ移動しながら前方へ移動する移動具で、下方開口した箱型の上押え部９の中央部に突出孔９ａを穿設すると共に、引張りスプリング９ｂの後端を固定した固定部９ｃを設けてある。
また、下方に、側面三角形状に形設した上板１０ａの中央に連結ピン１０ｂを設けると共に、引張りスプリングの先端を前板１０ｃに固定した移動体１０を設けてあり、連結ピン１０ｂと引張りスプリング９ｂとで作動部１１ｂを構成してある。
１２は、下段ケース本体７ａ内の両側に形設してなる支持部で、斜状面１２ａを形成すると共に、四角形状のストッパー１２ｂを形成してある。
また、必要に応じて斜状面１２ａの後部に押上げスプリング１２ｃを設けてある。
なお、移動体１０の下面１０ｄ（斜状）が、支持部１２の斜状面１２ａに対応し、下方に移動しながら前方へ移動できる。（図５から図９）
【００１３】  上記上段ケース１と下段ケース７とからなる置式名刺入れケースの使用例について説明する。
まず、上段ケース１の連結部３ａの連通孔３ａ１に、下段ケース７の連結ピン１０ｂを挿入して連結する。（図１０）
これで、上段ケース１と下段ケース７を組み立てることができる。（図１１）（図１２）
この状態で蓋６を開け、上段ケース本体２内に名刺Ｍを入れ、必要に応じて樹脂製等によるウエイト板ＷＢを置く。
この時、名刺Ｍの後端は名刺整列部２ｂより前方へ移動させやすくしてある。（図１３）
つづいて、上段ケース１の蓋６を下方に押すことにより、移動具８の移動体１０の下面１０ｄが、支持部１２の斜状面１２ａを滑り下向しながら前進する。
この時、引張りスプリング９ｂは引っ張られており、上板１０ａの連結ピン１０ｂも前進し、連動して連結部３ａも前進する。
同時に、バネ４は押圧され、押出板３が前方に移動し、押出片３ｂに名刺Ｍ１の後端を押し出し、名刺案内板２ｅを通り、名刺突出口２ｄより名刺Ｍ１が突出する。（図１４）
その後、上段ケース１の蓋６を押すことをやめることにより、引張りスプリング１０ａが戻ると共に、押上げスプリング１２ｃにて移動体１０を押し上げ、かつバネ４が戻ることにより、押出板３が後方（定位置）に戻る。
この時、上段ケース１は上昇し、定位置になる。
そして、名刺Ｍ１を取り出し、お客様に渡す。
これを繰り返すものである。
なお、チェッ孔２ｃ１より、ウエイト板ＷＢが見えるようになれば、名刺Ｍを追加するサインである。
【００１４】  なお、必要に応じて蓋６を開け、中にお客様からいただいた名刺（図示せず）を入れて一時保管してもよい。
また、孔７ｂより指（図示せず）を入れ、移動具８を上に押し上げることにより取り外しができ、メンテナンス等が容易に行える。
【００１５】  上記実施例において、材質や大きさ等、特に限定するものではない。
なお、ウエイト板はカラー集光アクリル製が望ましい。
また、ウエイト板の下面に短寸の板（段差状）を設けることにより、ウエイト板の端部を指で押さえることにより、反対側の端部が浮き上がり、取れやすくなる。
【符号の説明】
【００１６】１――――上段ケース
２――――上段ケース本体
３――――押出板
４――――バネ
５――――保持板
６――――蓋
７――――下段ケース
８――――移動具
９――――上押え部
１０―――移動体
Ｍ――――名刺
【図１】
0005190589.tif 000002
【図２】
0005190589.tif 000003
【図３】
0005190589.tif 000004
【図４】
0005190589.tif 000005
【図５】
0005190589.tif 000006
【図６】
0005190589.tif 000007
【図７】
0005190589.tif 000008
【図８】
0005190589.tif 000009
【図９】
0005190589.tif 000010
【図１０】
0005190589.tif 000011
【図１１】
0005190589.tif 000012
【図１２】
0005190589.tif 000013
【図１３】
0005190589.tif 000014
【図１４】
0005190589.tif 000015
【図１５】
0005190589.tif 000016